(57)【要約】【課題】塗布具を保持するのに台座を必要とせず、また、周囲の他物の邪魔になることのない塗布具付き化粧料容器を提供する。【解決手段】化粧料が収容される容器本体６と、この容器本体６の首部６ａに着脱自在に取り付けられるキャップ７と、塗布具４とを備えている。そして、上記容器本体６の首部６ａにキャップ７を取り付けた状態で、上記容器本体６とキャップ７とで挟持される保持具５を設け、この保持具５に、上記塗布具４の柄部４ａを挿通して抜け落ち防止状に保持しうる挿通孔５ｂが穿設されている。【選択図】図１
2004201970.tif 000002
【特許請求の範囲】
【請求項１】
化粧料が収容される容器本体と、この容器本体の首部に着脱自在に取り付けられる蓋体と、塗布具とを備え、上記容器本体の首部に蓋体を取り付けた状態で、上記容器本体と蓋体とで挟持される保持具を設け、この保持具に、上記塗布具の柄部を挿通して抜け落ち防止状に保持しうる挿通孔が穿設されていることを特徴とする塗布具付き化粧料容器。
【請求項２】
上記保持具が、上記容器本体の首部に挿通してこの容器本体の肩部上に載置しうるリング体に形成されている請求項１記載の塗布具付き化粧料容器。
【発明の詳細な説明】
【０００１】
【発明の属する技術分野】
本発明は、塗布具を保持する塗布具付き化粧料容器に関するものである。
【０００２】
【従来の技術】
従来から、クリーム等の化粧料（内容物）を収容する化粧料容器は、化粧料を適量取って塗布するための塗布具（例えば、スパチュラ）等と一緒に、箱等の包装容器内に収容されて運搬，販売等されている。ところが、顧客が購入したのちには、化粧料容器は箱等から取り出されて所定の場所に置かれるが、塗布具は、これを載置するための専用部材がないため、上記場所の周りの適当な場所に置かれることが多い。このため、使用後にも、塗布具をそのまま上記適当な場所に置いてしまうことが多く、上記適当な場所に、塗布具に付着した化粧料が付着してしまうという問題や、上記適当な場所に置くことで紛失しやすいという問題がある。
【０００３】
一方、上記塗布具は、箱等の内部で位置決めされていないと、コロコロと動くため、上記塗布具が箱等の内部で動かないように、例えば、箱２０の内部に化粧料容器２１とともに収容される化粧料容器２１の台座２２（図１９参照）の上面に凸部２３を設け、この凸部２３の上面に穿設した貫通孔２３ａ（図２０参照）に塗布具２４（図１９参照）を挿し込んで位置決めするようにしたものがある。そして、このものでは、化粧料容器２１を箱２０から取り出したのちにも、上記台座２２を塗布具２４の置き場として利用することが行われている。図２０において、２２ａは化粧料容器２１を載置するための凹部である。
【０００４】
【発明が解決しようとする課題】
しかしながら、上記台座２２を、使用時の塗布具２４の置き場として利用する場合には、使用時に常に台座２２が必要になり、また、化粧料容器２１を別の場所に移動させて使用しようとすると、台座２２も一緒にその場所に移動させなければならないという問題がある。しかも、化粧料容器２１の周囲に、台座２２を配設するための大きなスペースが必要となり、周囲の他物の邪魔になるという問題もある。
【０００５】
本発明は、このような事情に鑑みなされたもので、塗布具を保持するのに台座を必要とせず、また、周囲の他物の邪魔になることのない塗布具付き化粧料容器の提供をその目的とする。
【０００６】
【課題を解決するための手段】
上記の目的を達成するため、本発明の塗布具付き化粧料容器は、化粧料が収容される容器本体と、この容器本体の首部に着脱自在に取り付けられる蓋体と、塗布具とを備え、上記容器本体の首部に蓋体を取り付けた状態で、上記容器本体と蓋体とで挟持される保持具を設け、この保持具に、上記塗布具の柄部を挿通して抜け落ち防止状に保持しうる挿通孔が穿設されているという構成をとる。
【０００７】
すなわち、本発明の塗布具付き化粧料容器は、容器本体と蓋体と塗布具とを備えており、上記容器本体の首部に蓋体を取り付けた状態で、上記容器本体と蓋体とで挟持される保持具を設け、この保持具に、上記塗布具の柄部を挿通して抜け落ち防止状に保持しうる挿通孔が穿設されている。このように、本発明では、上記容器本体の首部に蓋体を取り付けた状態で、上記容器本体と蓋体とで挟持される保持具に塗布具を保持することができるため、塗布具の置き場としての（容器本体載置用の）台座を必要としない。しかも、上記保持具は、（容器本体載置用の）台座よりもかなり小さく形成されるため、化粧料容器の周囲に大きなスペースを必要とせず、周囲の他物の邪魔になることがない。
【０００８】
本発明において、上記保持具が、上記容器本体の首部に挿通してこの容器本体の肩部上に載置しうるリング体に形成されている場合には、リング体に形成された保持具が容器本体の首部に挿通されてこの容器本体の肩部上に載置されているため、使用時に蓋体を容器本体の首部から取り外しても、保持具が容器本体の首部から抜け落ちることがない。
【０００９】
【発明の実施の形態】
つぎに、本発明の実施の形態を図面にもとづいて詳しく説明する。
【００１０】
図１および図２は本発明の塗布具付き化粧料容器の一実施の形態を示している。これらの図において、１は化粧料容器であり、２は上記化粧料容器１を載置する台座であり、上記化粧料容器１が台座２上に載置された状態で、透明プラスチック製の箱３（図２では、図示せず）に収容されている。このような化粧料容器１には、図３および図４に示すような塗布具（スパチュラ）４を保持するための保持具５が固定されている。図３および図４において、４ａは上記塗布具４の柄部であり、４ｂは上記柄部４ａの先端部から延びるへら部である。
【００１１】
上記化粧料容器１は、図５に示すように、内部にクリーム等の化粧料（図示せず）が収容された容器本体６と、この容器本体６の首部６ａの上端開口部を蓋するキャップ（蓋体）７とからなり、上記容器本体６の首部６ａの外周面に形成されたねじ部６ｂに、上記キャップ７の内周面に形成されたねじ部（図示せず）がら合するようにしている。図５において、６ｃは上記容器本体６の肩部の内側部分に形成された水平面部である。
【００１２】
上記台座２は、図６〜図１０に示すように、透明プラスチック製の薄板を折り曲げ成形してなる一体成形品であり、その外形寸法が、上記箱３の底部に納まる寸法に形成されている。また、上記台座２には、その上面に、化粧料容器１を載置するための大径凹部１１が形成されているとともに、この大径凹部１１の底面１１ａにこの大径凹部１１と同心状に小径凹部１２が形成されている。また、上記大径凹部１１の内周面（すなわち、周側面）に、これに沿うようにして、上記容器本体６の下端部の外周面に押圧状に当接する４つの凸部１１ｂが所定間隔をあけて突設されている。
【００１３】
また、上記台座２の上面には、上記大径凹部１１の外周部に、これに沿うようにして、略１／８円弧状に形成された３つの帯状凸部１３ａと、平面視で略二等片三角形に形成された１つのブロック状凸部１３ｂ（このブロック状凸部１３ｂの一辺は、上記大径凹部１１の外周部に沿う円弧面に形成されている）とが所定間隔をあけて形成されている。
【００１４】
上記保持具５は、図１１および図１２に示すように、略円環状に形成された透明プラスチック製の平板状リング体で構成されており、その外周縁部の一側から外側に向かって突設された突出部分５ａに、上記塗布具４の柄部４ａを挿通してへら部４ｂを抜け落ち防止状に保持しうる挿通孔５ｂが穿設されている。また、上記保持具５の中央孔５ｃは、上記容器本体６の首部６ａのねじ部６ｂに外嵌状に挿通しうる大きさに形成されている。
【００１５】
上記の構成において、化粧料容器１に保持具５を取り付ける場合には、まず、化粧料容器１の容器本体６からキャップ７を取り外し、つぎに、容器本体６の首部６ａに保持具５を挿通して肩部の水平面部６ｃ上に載置したのち（図１３および図１４参照）、容器本体６の首部６ａにキャップ７をら合させて取り付けることを行う。これにより、保持具５が容器本体６の肩部の水平面部６ｃとキャップ７の下端面との間に挟持される。
【００１６】
このようにして保持具５を取り付けた化粧料容器１を台座２の大径凹部１１上に載置し（図１５および図１６参照）、保持具５の挿通孔５ｂに塗布具４の柄部４ａ（図１５および図１６では、図示せず）を上方から挿通することにより、化粧料容器１に塗布具４を保持することができる（図１および図２参照）。また、使用時等に、化粧料容器１を台座２から取り外し、塗布具４を保持した化粧料容器１だけを（図１７参照）、所望の使用場所等に移動させて使用等することもできる。このとき、上記塗布具４のへら部４ｂが保持具５の挿通孔５ｂ（図１７では、図示せず）に抜け落ち防止状に支受されている。
【００１７】
このように、上記実施の形態では、化粧料容器１に塗布具４を保持することができるため、箱３内では塗布具４が動き回ることがなく、また、箱３外では化粧料容器１と塗布具４とを一緒に移動させることができる。しかも、保持具５は大きなスペースをとらないため、化粧料容器１の周囲に大きなスペースを必要としない。
【００１８】
図１８は上記保持具５の変形例を示している。この例では、上記保持具５は、略扇状に形成された透明プラスチック製の平板体で構成されており、その外周縁部の一側から外側に向かって突設された突出部分５ａに、上記塗布具４の柄部４ａを挿通してへら部４ｂ（図３および図４参照）を抜け落ち防止状に保持しうる挿通孔５ｂが穿設されている。また、上記保持具５の内周縁部は、上記容器本体６の肩部の水平面部６ｃ（図５参照）上に載置しうる大きさに形成されている。この例の保持具５を用いた場合にも、上記実施の形態と同様の作用・効果を奏する。
【００１９】
なお、上記実施の形態では、化粧料容器１を台座２に載置した状態で箱３に収容しているが、これに限定するものではなく、箱３に直接（すなわち、台座２なしで）収容してもよい。この場合にも、化粧料容器１に保持具５を取り付け、この保持具５に塗布具４を保持させているため、箱３内では塗布具４が動き回ることがなく、また、箱３外では化粧料容器１と塗布具４とを一緒に移動させることができる。しかも、保持具５は大きなスペースをとらないため、化粧料容器１の周囲に大きなスペースを必要としない。
【００２０】
また、上記実施の形態では、容器本体６の首部６ａにキャップ７をら合させて取り付けるようにしているが、これに限定するものではなく、各種の手段で容器本体６の首部６ａにキャップ７を着脱自在に取り付けることができる。また、上記実施の形態では、化粧料容器１を箱３に収容しているが、箱３以外の各種の包装容器に収容することができる。また、塗布具４として、図３および図４に示すものを用いているが、各種のものを用いることができる。
【００２１】
また、塗布具４の外周面から、保持具５の挿通孔５ｂに抜け落ち状に係合する凸部等を当接してもよい。
【００２２】
【発明の効果】
以上のように、本発明の塗布具付き化粧料容器によれば、容器本体の首部に蓋体を取り付けた状態で、上記容器本体と蓋体とで挟持される保持具に塗布具を保持することができるため、塗布具の置き場としての（容器本体載置用の）台座を必要としない。しかも、上記保持具は、（容器本体載置用の）台座よりもかなり小さく形成されるため、化粧料容器の周囲に大きなスペースを必要とせず、周囲の他物の邪魔になることがない。
【００２３】
本発明において、上記保持具が、上記容器本体の首部に挿通してこの容器本体の肩部上に載置しうるリング体に形成されている場合には、リング体に形成された保持具が容器本体の首部に挿通されてこの容器本体の肩部上に載置されているため、使用時に蓋体を容器本体の首部から取り外しても、保持具が容器本体の首部から抜け落ちることがない。
【図面の簡単な説明】
【図１】本発明の塗布具付き化粧料容器の一実施の形態を箱に収容した状態を示す正面図である。
【図２】上記塗布具付き化粧料容器を台座上に載置した状態を示す平面図である。
【図３】塗布具の正面図である。
【図４】上記塗布具の側面図である。
【図５】化粧料容器の分解斜視図である。
【図６】台座の平面図である。
【図７】上記台座の側面図である。
【図８】上記台座の正面図である。
【図９】上記台座の断面図である。
【図１０】上記台座の要部の断面図である。
【図１１】保持具の平面図である。
【図１２】上記保持具の断面図である。
【図１３】容器本体に保持具を取り付けている状態を示す斜視図である。
【図１４】上記保持具を取り付けた容器本体にキャップを取り付けている状態を示す斜視図である。
【図１５】上記台座に化粧料容器を載置した状態を示す正面図である。
【図１６】上記台座に化粧料容器を載置した状態を示す平面図である。
【図１７】上記化粧料容器に塗布具を保持した状態を示す側面図である。
【図１８】上記保持具の変形例を示す平面図である。
【図１９】従来例を示す正面図である。
【図２０】上記従来例に用いる台座を示す平面図である。
【符号の説明】
４  塗布具
４ａ  柄部
５  保持具
５ｂ  挿通孔
６  容器本体
６ａ  首部
７  キャップ
【図１】
2004201970.tif 000003
【図２】
2004201970.tif 000004
【図３】
2004201970.tif 000005
【図４】
2004201970.tif 000006
【図５】
2004201970.tif 000007
【図６】
2004201970.tif 000008
【図７】
2004201970.tif 000009
【図８】
2004201970.tif 000010
【図９】
2004201970.tif 000011
【図１０】
2004201970.tif 000012
【図１１】
2004201970.tif 000013
【図１２】
2004201970.tif 000014
【図１３】
2004201970.tif 000015
【図１４】
2004201970.tif 000016
【図１５】
2004201970.tif 000017
【図１６】
2004201970.tif 000018
【図１７】
2004201970.tif 000019
【図１８】
2004201970.tif 000020
【図１９】
2004201970.tif 000021
【図２０】
2004201970.tif 000022